(57)【特許請求の範囲】
【請求項１】
表示部と、
前記表示部にて表示する文字を取得する取得部と、
前記表示部にて表示されない文字の部分があるか判断する判断部と、 
前記判断部が表示されない文字の部分があると判断した場合に、表示されない文字の部分があることを示すために、表示の質を変化させる変更部と、
前記表示部に対するＧＵＩ操作入力を受付けるＧＵＩ操作受付部と、
文字表示をスクロール移動させる続表示手段と、を有する文字表示装置であって、
前記ＧＵＩ操作入力を受付けた場合であって、前記判断部が表示されない文字があると判断したときは、前記続表示手段により文字表示をスクロール移動させることを特徴とする文字表示装置。
【請求項２】
前記変更部は、表示の質の変化として、文字、背景、表示枠のいずれか一以上の表示形態を変化させることを特徴とする請求項１に記載の文字表示装置。
【請求項３】
請求項１又は２に記載の文字表示装置からなるテレビ受像機。
【発明の詳細な説明】
【技術分野】
【０００１】
本発明は、コンテンツ表示装置、テレビ受像機に関する。
【背景技術】
【０００２】
テレビやパソコンのディスプレイにおいて、所定の表示領域内に電子番組表の各番組情報や録画リストの情報、検索結果の情報などを区分けして表示することが一般的に行われている。そして、文字などの表示要素が多い場合、所定の表示領域内に全ての表示要素を表示することができない場合が多々ある。
【０００３】
このような場合、特許文献１などにおいて示されているように、表示領域内にて表示される文字などの末尾に「・・・」や「⇒」などの省略記号を付加することが行われている。このような省略記号を付加することによって、省略記号を見た人は続きの表示要素が存在することを把握することができる。
【先行技術文献】
【特許文献】
【０００４】
【特許文献１】特開平９−２８４６７０
【発明の概要】
【発明が解決しようとする課題】
【０００５】
しかしながら、上記のような省略記号を用いると、省略記号のスペースを確保するために、本来表示できたはずの表示要素が表示できなくなってしまうことがある。つまり、省略記号によって情報に続きがあることが示されるものの、その省略記号のスペースによって表示される情報量が減ってしまっていた。また、図形や絵などを表示する際には所定の表示領域内に全ての表示要素が表示されなくても省略記号を付加しないことも多いが、その場合表示されていない部分が存在するのか否か一目で把握することができない場合が多かった。
【課題を解決するための手段】
【０００６】
上記の課題を解決するために、表示部と、表示部にて表示する文字を取得する取得部と、表示部にて表示されない文字の部分があるか判断する判断部と、表示部に対するＧＵＩ操作入力を受付けるＧＵＩ操作受付部と、文字表示をスクロール移動させる続表示手段と、を有する文字表示装置であって、ＧＵＩ操作入力を受付けた場合であって、判断部が表示されない文字があると判断したときは、続表示手段により文字表示をスクロール移動させることを特徴とする文字表示装置を提案する。
【発明の効果】
【０００７】
以上のような構成をとる本発明は、コンテンツの非表示部分と連続性のある表示部分の表示の質を変化させることによって、非表示のコンテンツ部分があることを一目で把握することが可能になる。また、省略記号を用いる必要がないため、限られた表示領域内で出来る限り多くの情報を表示することができる。また、図形や絵などを表示する際に、所定の表示領域内に全ての表示要素が表示されていない場合でも、表示されていない部分が存在することを一目で把握することが可能になる。
【図面の簡単な説明】
【０００８】
【図１】実施形態１のコンテンツ表示装置の機能ブロックの一例を示す図
【図２】従来技術の表示の一例を示す図
【図３】実施形態１のコンテンツ表示装置の判断部の判断処理の一例を示す図（１）
【図４】実施形態１のコンテンツ表示装置の判断部の判断処理の一例を示す図（２）
【図５】実施形態１のコンテンツ表示装置の変更部の処理の一例を示す図
【図６】図５の処理による表示結果の一例の示す図
【図７】表示枠の表示形態を変更させた場合の表示結果の一例を示す図
【図８】実施形態１のコンテンツ表示装置のハードウェア構成の具体例を示す図
【図９】実施形態１のコンテンツ表示装置の処理の流れの一例を示す図
【図１０】実施形態２のコンテンツ表示装置の機能ブロックの一例を示す図
【図１１】表示形態変化手段の処理の一例を示す図
【図１２】図１１の処理による表示結果の一例を示す図
【図１３】コンテンツの表示領域の末端の背景色が段階的に文字の色に近づいていくように設定する処理を行った場合の表示結果の一例を示す図
【図１４】コンテンツを囲む表示枠のうち、コンテンツの表示領域の末端付近にある部分の形状を変化させる処理を行った場合の表示結果の一例を示す図
【図１５】実施形態２のコンテンツ表示装置の処理の流れの一例を示す図
【図１６】実施形態３のコンテンツ表示装置の機能ブロックの一例を示す図
【図１７】非表示コンテンツ量取得手段と応変化手段の処理の一例を示す図
【図１８】図１７の処理による表示結果の例を示す図（１）
【図１９】図１７の処理による表示結果の例を示す図（２）
【図２０】図１７の処理による表示結果の例を示す図（３）
【図２１】実施形態３のコンテンツ表示装置の処理の流れの一例を示す図
【図２２】実施形態４のコンテンツ表示装置の機能ブロックの一例を示す図
【図２３】続表示手段の処理の一例を示す図
【図２４】図２３の処理による表示結果の一例を示す図（１）
【図２５】図２３の処理による表示結果の一例を示す図（２）
【図２６】実施形態４のコンテンツ表示装置の処理の流れの一例を示す図
【発明を実施するための形態】
【０００９】
以下に、本発明にかかるコンテンツ再生装置の実施形態を説明する。実施形態と請求項の相互の関係は、以下のとおりである。実施形態１では主に請求項１について説明し、実施形態２では主に請求項２について説明し、実施形態３では主に請求項３について説明し、実施形態４では主に請求項４について説明する。なお、本発明はこれらの実施形態に何ら限定されるものではなく、その要旨を逸脱しない範囲内において、種々なる態様で実施しうる。
＜＜実施形態１＞＞
＜概要＞
本実施形態のコンテンツ表示装置は、コンテンツの一部が表示部にて表示されない場合に、コンテンツの非表示部分と連続性のある表示部分の表示の質を変化させることを特徴とする。
＜構成＞
図１は、本実施形態のコンテンツ表示装置の機能ブロックの一例を示す図である。この図にあるように、「コンテンツ表示装置」０１００は、「表示部」０１０１と、「取得部」０１０２と、「判断部」０１０３と、「変更部」０１０４と、を有する。
【００１０】
「表示部」は、コンテンツを表示する機能を有する。表示部を有するコンテンツ表示装置としては、パソコンやテレビ受像機、携帯電話、携帯ゲーム機器、音楽プレイヤー、ＰＤＡなどが挙げられる。表示するコンテンツとしては、例えば文字や記号を含むコンテンツや、グラフや図形を含むコンテンツ、写真や絵を含むコンテンツなどが挙げられる。具体的には、文字や記号を含むコンテンツとして、ウェブブラウザのインターネット検索結果画面にて表示される各ホームページの見出し情報や、番組案内画面の各番組枠にて表示される各テレビ番組情報、メールアプリケーション画面のメール送信／受信リストにて表示される各メールの宛先・件名情報、音楽プレイヤー画面の楽曲リストにて表示される各音楽の歌い出し情報などが挙げられる。これらの画面においては、文字や記号の全てを表示し切れない場合、「・・・」などの記号を文章の末尾に表示されることが多かった。図２は、当該従来技術の表示の一例を示す図である。また、グラフや図形を含むコンテンツとしては、表計算アプリケーション画面の表示区画にて表示されるグラフ情報や、描画アプリケーション画面の表示区画にて表示される図形情報などが挙げられる。
【００１１】
なお、表示部にて表示するコンテンツの数は一つである必要はなく、同時に複数のコンテンツを各表示領域にて表示する態様も含まれる。例えば、テレビ番組情報を表示する際に、一の番組表示枠にて一のテレビ番組情報を表示し、他の番組表示枠にて他のテレビ番組情報を表示するような場合が挙げられる。また、メール送信／受信リストを表示する際に、一のリスト区画にて一のメールの宛先・件名情報を表示し、他のリスト区画にて他のメールの宛先・件名情報を表示するような場合も該当する。
【００１２】
また、表示部にて表示するコンテンツの種類も一つである必要はなく、同時に複数種類のコンテンツを各表示領域にて表示する態様も含まれる。例えば、テレビ画面の番組表示領域においてテレビ番組情報を表示し、予約番組表示領域において予約番組情報を表示するような場合が挙げられる。
【００１３】
「取得部」は、表示部にて表示するコンテンツを取得する機能を有する。コンテンツの取得する態様としては、磁気記録媒体や光記録媒体などの記録媒体に記録されたコンテンツを読み込んで取得する態様や、インターネットやＬＡＮ、ＷＡＮなどのネットワークを介してコンテンツを受信して取得する態様、アンテナやチューナを介してコンテンツを受信して取得する態様、キーボードなどの操作入力機器を介してコンテンツの入力を受け付けて取得する態様などが挙げられる。なお、コンテンツの取得は部分的であってもよい。例えば、コンテンツのうち、表示部にて表示される部分のみを必要に応じて適宜取得する態様が考えられる。この場合、取得部は、取得していないコンテンツの部分（表示されないコンテンツの部分）が存在することを示す情報を出力することが可能である。
【００１４】
なお、取得部は、コンテンツの単位を特定して取得することも可能である。例えば、新聞記事の全頁をコンテンツの単位として取得してもよいし、新聞記事の中のスポーツ欄の頁をコンテンツの単位として取得してもよい。また、一の写真全体をコンテンツの単位として取得してもよいし、一の写真の中の一部をコンテンツの単位として取得してもよい。このように、コンテンツの単位をどのようにするかは任意であり、様々な態様が考えられる。また、コンテンツを特定するための具体的な手段としては、データに含まれる属性情報、画素座標情報、などに基づいて行うことが可能である。
【００１５】
「判断部」は、表示部にて表示されないコンテンツの部分があるか判断する機能を有する。例えばコンテンツが複数の頁からなる文字情報であり、表示領域としては一頁分の文字情報のみ表示できる場合、表示部にて表示されないコンテンツの部分があるといえる。また、コンテンツが一頁からなる文字情報であっても、当該文字情報が表示される領域の一部がディスプレイ画面に収まっていない場合も表示部にて表示されないコンテンツの部分があるといえる。
【００１６】
コンテンツが表示される領域がディスプレイ画面に収まっている場合、表示されないコンテンツの部分があるかの判断は、取得したコンテンツの全体を表示するのに必要な表示サイズと、表示部の表示領域のサイズを比較することにより行うことが可能である。より具体的には、ビデオメモリの割り当て領域に対して現実的（物理的）にマッピング可能なサイズと、コンテンツ全体を論理的（仮想的）にマッピングした際のサイズを比較して、コンテンツがその表示領域に対して包含関係にあるか否かに基づいて判断することが可能である。
【００１７】
また、取得部にて取得されるコンテンツが部分的である場合は、部分的な取得である旨の情報を取得部より受信して、コンテンツが全体に対する一部であると判断することができる。また、コンテンツが表示される領域の一部がディスプレイ画面に収まっていない場合（画面にて表示しきれていない場合）は、コンテンツが表示される領域の現時点の座標情報に基づいて表示されていないコンテンツの部分があると判断することができる。なお、コンテンツの表示領域の位置や、大きさや形状が変更された場合は、その都度動的に判断処理を行うことができる。例えば、ユーザが地図画像の表示領域であるウィンドウを縮小する操作を行った場合、地図画像の一部が表示されなくなるか判断する。なお、タイマを利用して所定時間間隔で判断処理を行うことも可能である。
【００１８】
図３は、表示部にて表示するコンテンツが文字からなる場合の判断部の判断処理の一例を示す図である。まず、ステップＳ０３０１において、取得したコンテンツの文字数を算出する。次に、ステップＳ０３０２において、コンテンツの表示枠に入る文字数の情報を取得する。次に、ステップＳ０３０３において、取得したコンテンツの文字数とコンテンツの表示枠に入る文字数を比較する。ここで、取得したコンテンツの文字数がコンテンツの表示枠に入る文字数よりも多い場合は、ステップＳ０３０４Ａに進み、表示されないコンテンツの部分があるとの判断結果を出力する。また、取得したコンテンツの文字数がコンテンツの表示枠に入る文字数以下である場合は、ステップＳ０３０４Ｂに進み、表示されないコンテンツの部分はないとの判断結果を出力する。
【００１９】
図４は、表示部にて表示するコンテンツが絵や写真である場合の判断部の判断処理の一例を示す図である。まず、ステップＳ０４０１において、取得したコンテンツの縦横のサイズを取得する。次に、ステップＳ０４０２において、コンテンツの表示枠の縦横のサイズを取得する。次に、ステップＳ０４０３において、取得したコンテンツの縦横のサイズとコンテンツの表示枠の縦横のサイズを比較する。ここで、取得したコンテンツの縦横のサイズがコンテンツの表示枠の縦横のサイズより大きい場合は、ステップＳ０４０４Ａに進み、コンテンツの縦方向又は／及び横方向の一部が表示されないとの判断結果を出力する。また、取得したコンテンツの縦横のサイズがコンテンツの表示枠の縦横のサイズ以下である場合は、ステップＳ０４０４Ｂに進み、コンテンツの全部が表示されるとの判断結果を出力する。
【００２０】
「変更部」は、表示されないコンテンツの部分があるとの判断である場合に、非表示コンテンツ部分と連続性のある表示コンテンツ部分の表示の質を変化させる機能を有する。ここで、非表示コンテンツ部分とは表示されないコンテンツの部分をいい、表示コンテンツ部分とは表示されるコンテンツの部分をいう。また、非表示コンテンツ部分と表示コンテンツ部分に連続性があるとは、非表示コンテンツ部分と表示コンテンツ部分に論理的又は物理的に連続性があるこという。例えばコンテンツが文字などから構成される場合は連続して読まれるべき関係にあることをいい、コンテンツが図形や写真などから構成される場合は連続して眺められるべき関係にあることをいう。
【００２１】
また、コンテンツの表示部分の表示の質を変更するとは、コンテンツの表示部分を構成する要素やその背景、表示枠などの表示の質を変更することをいう。ここで、コンテンツの表示部分を構成する要素としては、文字、記号、グラフ、図形、写真、絵などが挙げられる。また、表示の質としては、表示要素や表示枠の大きさや形状、模様、色彩、表示背景の模様、色彩、表示要素の透明度や解像度、輝度、質感などが挙げられる。
【００２２】
図５は、表示部にて表示するコンテンツが文字などからなる場合の変更部の処理の一例を示す図である。まず、ステップＳ０５０１において、表示部にて表示されない文字があるか判断する判断部の処理結果を取得する。ここで、表示されない文字があるとの判断である場合はステップＳ０５０２に進む。ここで、表示されない文字はないとの判断である場合は処理を終了する。次に、ステップＳ０５０２において、コンテンツの表示領域の末端に表示された複数の文字の透明度を段階的に上げる処理を行う。図６は、上記処理による表示結果を示す図である。この図に示すように、「チームＡＺ×チ」の「×」の部分から文字の透明度を上げることにより、「・・・」などの省略記号を表示しなくても、非表示の文字が連続することが一目でわかる。まず、図７は、表示領域の末端に表示された文字の透明度を上げる代わりに、表示領域を定める表示枠の表示形態を変更させた場合の表示結果の一例を示す図である。この図に示すようにコンテンツの表示枠の表示形態を変更することによっても、非表示の文字が連続することを示すことが可能である。
【００２３】
また、変更部は、表示部にて表示されないコンテンツの部分があるとの判断である場合に、コンテンツの表示領域の末端に表示されたコンテンツ部分（表示領域の末端にある文字や図形・絵の一部）の解像度を変化させたり、表示領域の末端に表示されたコンテンツ部分の背景の輝度を変化させたりすることも可能である。また、コンテンツの表示領域の末端に表示されたコンテンツ部分をわずかに振動させたり、点滅表示させたり、色を時間変化させたりすることも可能である。
＜具体的な構成＞
図８は、本実施形態のコンテンツ表示装置の具体的なハードウェア構成の一例を示す図である。この図にあるように、コンテンツ表示装置は、「処理演算装置」０８０１と、「メモリ」０８０２と、「長期記憶装置」０８０３と、「チューナ」０８０４と、「復調回路部」０８０５と、「ディスプレイ」０８０６と、「ディスプレイコントローラ」０８０７と、「スピーカ」０８０８と、「音声処理回路部」０８０９と、「リモコンＩ／Ｆ」０８１０と、「システムバス」０８１１などから構成される。各ハードウェアは、「システムバス」０８１２により相互に連結され、信号のやり取りを行うことが可能である。
【００２４】
「チューナ」は、地上デジタル放送を受信可能な地上デジタルチューナや、ＢＳ／ＣＳデジタル放送を受信可能なＢＳ／ＣＳデジタルチューナが該当する。「復調回路部」は、チューナにて受信した放送信号を復調し、例えばＭＰＥＧトランスポートストリーム（ＴＳ）として、処理演算装置に出力される。「処理演算装置」は、例えばＣＰＵやＧＰＵ、システムＬＳＩなどが該当する。処理演算装置では、例えば復調回路部から出力される信号の中から、符号化された映像・音声データであるＰＥＳ（Ｐａｃｋｅｔｉｚｅｄ  Ｅｌｅｍｅｎｔａｒｙ  Ｓｔｒｅａｍ）パケットや、電子番組表データ（ＥＰＧデータ）の分離処理を行い、さらにＰＥＳパケットから映像・音声データのデコードを行う。また、映像データに対しては、各種フォーマット変換処理やマルチ画面処理を行う。また、必要に応じてグラフィックデータ（例えば、電子番組表データ）を編集して重畳表示する処理を行う。「メモリ」は、プログラムや作業データ、映像・音声・グラフィックス用のデータを格納する。メモリとしては、例えばＥＥＰＲＯＭ、ＳＤＲＡＭなどが挙げられる。「ディスプレイコントローラ」は、「処理演算装置」から伝送される表示データをＤ／Ａ変換し、「ディスプレイ」を制御して映像を表示する。また、「音声処理回路」は、「処理演算装置」から伝送される音声データをＤ／Ａ変換し、「スピーカ」を制御して音声を出力する。
＜処理の流れ＞
図９は、本実施形態のコンテンツ表示装置の処理の流れの一例を示す図である。以下に述べる処理は、コンテンツ表示装置にて所定のプログラムを実行することにより行われ、そのプログラムは記憶媒体に記憶することが可能である。まず、ステップＳ０９０１において、表示するコンテンツを取得する（取得ステップ）。次に、ステップＳ０９０２において、表示されないコンテンツの部分があるか判断する（判断ステップ）。ここで、表示されないコンテンツの部分があるとの判断である場合にはステップＳ０９０３Ａに進む。ここで、表示されないコンテンツの部分はないとの判断である場合はステップＳ０９０４Ｂに進む。次に、ステップＳ０９０３Ａにおいて、非表示コンテンツ部分と連続性のある表示コンテンツ部分の表示の質を変化させる（変更ステップ）。次に、ステップＳ０９０４Ａにおいて、表示の質を変化させた表示コンテンツ部分を表示する（表示ステップ）。ステップＳ０９０４Ｂにおいては、コンテンツ全部を表示する。
＜効果＞
以上のような構成をとる本発明は、コンテンツの非表示部分と連続性のある表示部分の表示の質を変化させることによって、非表示のコンテンツ部分があることを一目で把握することが可能になる。また、省略記号を用いる必要がないため、限られた表示領域内で出来る限り多くの情報を表示することができる。また、図形や絵などを表示する際に、所定の表示領域内に全ての表示要素が表示されていない場合でも、表示されていない部分が存在することを一目で把握することが可能になる。
＜＜実施形態２＞＞
＜概要＞
本実施形態のコンテンツ表示装置は、基本的に実施形態１と同様であるが、表示部にてコンテンツの一部が表示されていない場合に、非表示のコンテンツと連続性のある表示中のコンテンツを構成する文字や背景、表示枠などの表示形態を部分的に変化させることを特徴とする。
＜構成＞
図１０は、本実施形態のコンテンツ表示装置の機能ブロックの一例を示す図である。この図にあるように、「コンテンツ表示装置」１０００は、「表示部」１００１と、「取得部」１００２と、「判断部」１００３と、「変更部」１００４と、を有し、変更部は「表示形態変化手段」１００５を有する。以下、実施形態１との相違点である「表示形態変化手段」について説明する。
【００２５】
「表示形態変化手段」は、表示の質の変化として、コンテンツを構成する文字、記号、グラフ、図形、写真、絵、背景、表示枠のいずれか一以上の表示形態を変化させる機能を有する。ここで、コンテンツを構成する文字等のいずれか一以上の表示形態を変化させるとは、文字等の大きさや形状、模様、色彩などを変化させることをいう。
【００２６】
図１１は、表示部にて表示するコンテンツが文字などからなる場合の表示形態変化手段の処理の一例を示す図である。まず、ステップＳ１１０１において、表示部にて表示されない文字があるか判断する判断部の処理結果を取得する。ここで、表示されない文字があるとの判断である場合はステップＳ１１０２に進む。ここで、表示されない文字はないとの判断である場合は処理を終了する。次に、ステップＳ１１０２において、コンテンツの表示領域の末端に表示された複数の文字のサイズを段階的に小さく設定する処理を行う。次に、ステップＳ１１０３において、表示領域の末端に表示された複数の文字のサイズを小さくすることにより生じるスペースに、表示されないはずであった文字を順次割り当てる。ここで、スペースが割り当てられた新たな文字のサイズも小さく設定する。図１２は、上記処理による表示結果の一例を示す図である。この図に示すように、「錦帯橋を調査」の「を」の部分から文字のサイズを小さくすることにより、「・・・」などの省略記号を表示しなくても、コンテンツを構成する文字が表示されている部分以外にも連続的に存在することが一目でわかる。
【００２７】
また、コンテンツの表示領域の末端の背景色が段階的に文字の色に近づいていくように設定することも可能である。例えば、文字の色が黒色で背景色が白色であれば表示末端において背景色を白色から黒色に段階的に変化するように設定し、文字の色が赤色で背景色が青色であれば表示末端において背景色が青色から赤色に段階的に変化するように設定する。図１３は、コンテンツの表示領域の末端の背景色が段階的に文字の色に近づいていくように設定する処理を行った場合の表示結果の一例を示す図である。この図に示すように、「錦帯橋を」の「帯」の部分から背景色を表示文字の色に近づけることにより、「・・・」などの省略記号を表示しなくても、コンテンツを構成する文字が表示されている部分以外にも連続的に存在することが一目でわかる。なお、上記では背景色を変化させているが、コンテンツの表示末端の文字色が背景色に段階的に近付いていくように設定することも可能である。
【００２８】
また、コンテンツを囲む表示枠のうち、コンテンツの表示領域の末端付近にある部分の形状を変化させることも可能である。図１４は、当該処理を行った場合の表示結果の一例を示す図である。この図に示すように、「錦帯橋を調」の「調」の部分付近にある表示枠の部分の形状を折り返したようにすることにより、「・・・」などの省略記号を表示しなくても、コンテンツを構成する文字が表示されている部分以外にも連続的に存在することが一目でわかる。
＜処理の流れ＞
図１５は、本実施形態のコンテンツ表示装置の処理の流れの一例を示す図である。以下に述べる処理は、コンテンツ表示装置にて所定のプログラムを実行することにより行われ、そのプログラムは記憶媒体に記憶することが可能である。まず、ステップＳ１５０１において、表示するコンテンツを取得する（取得ステップ）。次に、ステップＳ１５０２において、表示されないコンテンツの部分があるか判断する（判断ステップ）。ここで、表示されないコンテンツの部分があるとの判断である場合はステップＳ１５０３Ａに進む。ここで、表示されないコンテンツの部分はないとの判断である場合はステップＳ１５０４Ｂに進む。次に、ステップＳ１５０３Ａにおいて、非表示コンテンツ部分と連続性のある表示コンテンツ部分のコンテンツを構成する文字、記号、グラフ、図形、写真、絵、背景、表示枠のいずれか一以上の表示形態を変化させる（変更ステップ：表示形態変更）。次に、ステップＳ１５０４Ａにおいて、表示の質を変化させた表示コンテンツ部分を表示する（表示ステップ）。ステップＳ１５０４Ｂにおいては、コンテンツ全部を表示する。
＜効果＞
本実施形態のコンテンツ表示装置は、コンテンツの非表示部分と連続性のある表示部分を構成する文字などの表示形態を変化させることによって、非表示のコンテンツ部分があることを一目で把握することが可能になる。また、省略記号を用いる必要がないため、限られた表示領域内で出来る限り多くの情報を表示することができる。また、図形や絵などを表示する際に、所定の表示領域内に全ての表示要素が表示されていない場合でも、表示されていない部分が存在することを一目で把握することが可能になる。
＜＜実施形態３＞＞
＜概要＞
本実施形態のコンテンツ表示装置は、基本的に実施形態１と同様であるが、非表示コンテンツの量に応じて表示中コンテンツの表示の質を変化させることを特徴とする。
＜構成＞
図１６は、本実施形態のコンテンツ再生装置の機能ブロックの一例を示す図である。この図にあるように、「コンテンツ表示装置」１６００は、「表示部」１６０１と、「取得部」１６０２と、「判断部」１６０３と、「変更部」１６０４と、を有し、変更部は「非表示コンテンツ量取得手段」１６０５と、「量応変化手段」１６０６を有することを特徴とする。以下、実施形態１との相違点である「非表示コンテンツ量取得手段」、「量応変化手段」について説明する。
【００２９】
「非表示コンテンツ量取得手段」は、非表示コンテンツ部分の量を取得する機能を有する。非表示コンテンツ部分の量としては、コンテンツが文字、記号などからなる場合は表示部にて表示されない文字や記号、単語の数や全体に対して表示されない割合などが挙げられる。また、コンテンツが図形や写真、絵などからなる場合は表示部にて表示されない部分の大きさや全体に対して表示されない割合などが挙げられる。非表示コンテンツ量取得手段は、表示部にて表示されない文字や記号、単語数をカウントしたり、表示部にて表示されない図形や写真の部分のサイズを算出したりして、非表示コンテンツ部分の量を取得する。なお、判断部の処理において、表示部にて表示されないコンテンツの部分の量を算出している場合は、非表示コンテンツ量取得手段は当該算出処理の結果を取得してもよい。
【００３０】
「量応変化手段」は、取得された非表示コンテンツ部分の量に応じて連続性のある表示コンテンツ部分の表示の質を変化させる機能を有する。ここで、非表示コンテンツ部分の量に応じて表示の質を変化させるとは、非表示コンテンツ部分の量に応じてコンテンツを構成する文字などの表示形態を変化させることなどをいう。
【００３１】
図１７は、表示部にて表示するコンテンツが文字からなる場合の、非表示コンテンツ量取得手段と応変化手段の処理の一例を示す図である。まず、ステップＳ１７０１において、表示部にて表示されない文字があるか判断する判断部の処理結果を取得する。ここで、表示されない文字があるとの判断である場合はステップＳ１７０２に進む。ここで、表示されない文字はないとの判断である場合は処理を終了する。次に、ステップＳ１７０２において、表示部にて表示されない文字の数をカウントする処理を行う。次に、ステップＳ１７０３において、表示されない文字の数と表示枠の表示形態の種類とを関連付けたテーブルに基づいて、カウントされた文字の数に応じて表示枠の表示形態を決定する。次に、ステップＳ１７０４において、決定された表示枠のデータを用いて、コンテンツを構成する文字を表示する。図１８、図１９、図２０は、上記処理による表示結果の例を示す図である。図１８、図１９の例では、一段目よりも二段目の方が表示部にて表示されていない文字数が多いため、表示枠の角がめくれる程度が大きくなるように表示される。このため、一段目及び二段目の表示枠にて表示されていない文字があることが一目でわかるのみならず、二段目の表示枠は相対的に多くの文字が表示されていないことが判断できる。図２０の例では、表示枠にて表示されていない文字数に応じて表示枠のめくれ部分の色を異ならせて表示している。
【００３２】
また、量応変化手段は、取得された非表示コンテンツ部分の量に応じて、表示コンテンツ部分の色や輝度を変化させることも可能である。例えば、コンテンツが文字などから構成される場合は、表示されない文字の数が多い程、連続性のある表示文字をより明るい色又は暗い色に変化させることなどが考えられる。また、コンテンツが絵や写真などから構成される場合は、表示されない部分のサイズが大きい程、連続性のある表示部分の輝度を高くする又は低くすることなどが考えられる。
【００３３】
また、量応変化手段は、取得された非表示コンテンツ部分の量に応じて、表示の質を変化させる表示コンテンツ部分の範囲を変化させることも可能である。例えば、表示されない文字の数が多い程、表示されている文字のうち表示の質を変化させる範囲を大きくすることが考えられる。具体的には、非表示コンテンツ部分の量が表示コンテンツ部分よりも少ない場合は表示コンテンツ部分の末端から１／８の部分の表示の質を変化させ、非表示コンテンツ部分の量が表示コンテンツ部分よりも多い場合は表示コンテンツ部分の末端から１／４の部分の表示の質を変化させる。
＜処理の流れ＞
図２１は、本実施形態のコンテンツ表示装置の処理の流れの一例を示す図である。以下に述べる処理は、コンテンツ表示装置にて所定のプログラムを実行することにより行われ、そのプログラムは記憶媒体に記憶することが可能である。まず、ステップＳ２１０１において、表示するコンテンツを取得する（取得ステップ）。次に、ステップＳ２１０２において、表示されないコンテンツの部分があるか判断する（判断ステップ）。ここで、表示されないコンテンツの部分があるとの判断である場合はステップＳ２１０３Ａに進む。ここで、表示されないコンテンツの部分はないとの判断である場合はステップＳ２１０５Ｂに進む。次に、ステップＳ２１０３Ａにおいて、非表示コンテンツ部分の量を取得する（非表示コンテンツ量取得サブステップ）。次に、ステップＳ２１０４Ａにおいて、取得された非表示コンテンツ部分の量に応じて表示コンテンツ部分の表示の質を変化させる（量応変化サブステップ）。次に、ステップＳ２１０５Ａにおいて、表示の質を変化させた表示コンテンツ部分を表示する（表示ステップ）。ステップＳ２１０５Ｂにおいては、コンテンツ全部を表示する。
＜効果＞
本実施形態のコンテンツ表示装置は、実施形態１などの効果に加え、非表示コンテンツ部分の量に応じて連続性のある表示コンテンツ部分の表示の質を変化させることによって、表示されていないコンテンツ部分がどれくらいあるかを一目で把握させることが可能になる。
＜＜実施形態４＞＞
＜概要＞
本実施形態のコンテンツ表示装置は、基本的に実施形態１と同様であるが、変更部にて表示の質を変化させたコンテンツの部分に対するＧＵＩ操作入力を受け付けた場合に表示されていないコンテンツの全部又は一部を表示することを特徴とする。
＜構成＞
図２２は、本実施形態のコンテンツ再生装置の機能ブロックの一例を示す図である。この図にあるように、「コンテンツ表示装置」２２００は、「表示部」２２０１と、「取得部」２２０２と、「判断部」２２０３と、「変更部」２２０４と、「ＧＵＩ操作受付部」２２０５を有し、ＧＵＩ操作受付部は「続表示手段」２２０６を有する。以下、実施形態１などとの相違点である「ＧＵＩ操作受付部」と「続表示手段」について説明する。
【００３４】
「ＧＵＩ操作受付部」は、表示部に対するＧＵＩ操作入力を受付ける機能を有する。ここで、ＧＵＩ操作入力とは、表示部にてコンテンツを表示する部分に対して、ユーザがポインティングデバイスや指などで指示操作することなどをいう。
【００３５】
「続表示手段」は、表示部は、変更部にて変化させた部分に対するＧＵＩ操作入力を受け付けた場合に非表示部分の全部又は一部を表示する機能を有する。変更部にて変化させた部分に対するＧＵＩ操作入力とは、変更部にて変化させた部分に対してポインティングデバイスや指などで指示する操作などをいう。
【００３６】
図２３は、表示部にて表示するコンテンツが文字などからなる場合の、続表示手段の処理の一例を示す図である。まず、ステップＳ２３０１において、変更部にて変化させた部分に対するＧＵＩ操作入力をＧＵＩ操作受付部にて受け付けたか否か判断する。ここで、受け付けたとの判断である場合はステップＳ２３０２に進む。ここで、受け付けていないとの判断である場合は待機する。次に、ステップＳ２３０２においてＧＵＩ操作入力を受け付けた部分にて表示されていなかった文字を表示するよう切り換える。図２４は、上記処理による表示結果の一例を示す図である。この図の例では、ＧＵＩ操作入力を受け付けた部分の文字表示をスクロール移動させて、これまで表示されていた文字を先端部から順番に非表示とし、非表示であった文字を先端部から順番に表示する。また、図２５は、上記処理による表示結果の他の例を示す図である。この図の例では、これまで表示枠の内部にて表示されていた文字群を、表示されていなかった文字群に置き換えて表示している。
＜処理の流れ＞
図２６は、本実施形態のコンテンツ表示装置の処理の流れの一例を示す図である。以下に述べる処理は、コンテンツ表示装置にて所定のプログラムを実行することにより行われ、そのプログラムは記憶媒体に記憶することが可能である。まず、ステップＳ２６０１において、表示するコンテンツを取得する（取得ステップ）。次に、ステップＳ２６０２において、表示されないコンテンツの部分があるか判断する（判断ステップ）。ここで、表示されないコンテンツの部分があるとの判断である場合はステップＳ２６０３Ａに進む。ここで、表示されないコンテンツの部分はないとの判断である場合はステップＳ２６０４Ｂに進む。次に、ステップＳ２６０３Ａにおいて、非表示コンテンツ部分と連続性のある表示コンテンツ部分の表示の質を変化させる（変更ステップ）。次に、ステップＳ２６０４Ａにおいて、表示の質を変化させた表示コンテンツ部分を表示する（表示ステップ）。ステップＳ２６０４Ｂにおいては、コンテンツ全部を表示する。次に、ステップＳ２６０５Ａにおいて、変更ステップにて表示の質を変化させた部分に対するＧＵＩ操作入力を受付けたか否か判断する（ＧＵＩ操作受付判断ステップ）。ここで、受け付けたとの判断である場合はステップＳ２６０６Ａに進む。ここで、受け付けていないとの判断である場合は待機する。次に、ステップＳ２６０６Ａにおいて、非表示コンテンツの全部又は一部を表示する（続表示ステップ）。
＜効果＞
本実施形態のコンテンツ表示装置は、実施形態１などの効果に加えて、ＧＵＩ操作入力により、表示されていないコンテンツ部分を簡易的に表示することが可能になる。
【符号の説明】
【００３７】
０１００・１０００・１６００・２２００…コンテンツ表示装置、０１０１・１００１・１６０１・２２０１…表示部、０１０２・１００２・１６０２・２２０２…取得部、０１０３・１００３・１６０３・２２０３…判断部、０１０４・１００４・１６０４・２２０４…変更部、１００５…表示形態変更手段、１６０５…非表示コンテンツ量取得手段、１６０６…量応変化手段、２２０６…続表示手段、０８０１…処理演算装置、０８０２…メモリ、０８０３…長期記憶装置、０８０４…チューナ、０８０５…復調回路部、０８０６…ディスプレイ、０８０７…ディスプレイコントローラ、０８０８…スピーカ、０８０９…音声処理回路部、０８１０…リモコンＩ／Ｆ、０８１１…システムバス
【図１】
0005303059.tif 000002
【図２】
0005303059.tif 000003
【図３】
0005303059.tif 000004
【図４】
0005303059.tif 000005
【図５】
0005303059.tif 000006
【図６】
0005303059.tif 000007
【図７】
0005303059.tif 000008
【図８】
0005303059.tif 000009
【図９】
0005303059.tif 000010
【図１０】
0005303059.tif 000011
【図１１】
0005303059.tif 000012
【図１２】
0005303059.tif 000013
【図１３】
0005303059.tif 000014
【図１４】
0005303059.tif 000015
【図１５】
0005303059.tif 000016
【図１６】
0005303059.tif 000017
【図１７】
0005303059.tif 000018
【図１８】
0005303059.tif 000019
【図１９】
0005303059.tif 000020
【図２０】
0005303059.tif 000021
【図２１】
0005303059.tif 000022
【図２２】
0005303059.tif 000023
【図２３】
0005303059.tif 000024
【図２４】
0005303059.tif 000025
【図２５】
0005303059.tif 000026
【図２６】
0005303059.tif 000027